(57)【要約】【課題】整合表示を有するインプラントを提供する。【解決手段】ある実施形態では、インプラント１０は、概ね細長く、第１の端部部分１２および第２の端部部分１４を含み、第１の端部部分および第２の端部部分には複数の固定穴１８が形成されている。第１の端部部分は、患者の体内で見出される解剖学的特徴部の第１の側で骨に取り付けられるように構成されている。第２の端部部分は、解剖学的特徴部の第２の側で骨に取り付けられるように構成されている。インプラントは、曲線状の周縁部１６をさらに含んでいる。整合表示３０は、第１の端部部分と第２の端部部分との間で周縁部に形成されている。整合表示は、解剖学的特徴部に対する少なくとも１つの骨への骨プレートの適正な設置を表示するように構成されている。整合表示は、例えば、骨プレートの周縁部に形成された突出部３１，３２、または、凹部を含んでいてよい。【選択図】図１
2008006285.tif 000002
【特許請求の範囲】
【請求項１】
体内に位置する少なくとも１つの骨に取り付けられるように構成された骨プレートにおいて、
解剖学的特徴部が、前記少なくとも１つの骨に関連して前記体内に存在し、
前記骨プレートは、
（ａ）前記解剖学的特徴部の第１の側で前記少なくとも１つの骨に取り付けられるように構成された、第１の端部部分と、
（ｂ）前記解剖学的特徴部の第２の側で前記少なくとも１つの骨に取り付けられるように構成された、第２の端部部分であって、前記第２の側は、前記第１の側の反対側にある、第２の端部部分と、
（ｃ）前記骨プレートに形成された複数の固定穴と、
（ｄ）周縁部であって、
前記周縁部は、前記第１の端部部分と前記第２の端部部分との間に形成された整合表示を含み、
前記整合表示は、前記解剖学的特徴部に対する前記少なくとも１つの骨への前記骨プレートの適正な設置を表示するように構成されており、
前記周縁部に形成された前記整合表示は、前記複数の固定穴に関連付けられていない、
周縁部と、
を含む、骨プレート。
【請求項２】
請求項１に記載の骨プレートにおいて、
前記整合表示が、前記骨プレートから延出する少なくとも１つの突出部を含む、骨プレート。
【請求項３】
請求項２に記載の骨プレートにおいて、
前記少なくとも１つの突出部が、前記骨プレートの少なくとも１つの側面から延出している、骨プレート。
【請求項４】
請求項１に記載の骨プレートにおいて、
前記整合表示が、前記骨プレートに形成された少なくとも１つの凹部を含む、骨プレート。
【請求項５】
請求項１に記載の骨プレートにおいて、
前記整合表示に関連した、前記骨プレートの表面に形成されたエッチング、
をさらに含む、骨プレート。
【請求項６】
請求項５に記載の骨プレートにおいて、
前記エッチングが、文字を含む、骨プレート。
【請求項７】
請求項５に記載の骨プレートにおいて、
前記エッチングが、少なくとも１つの記号を含む、骨プレート。
【請求項８】
請求項１に記載の骨プレートにおいて、
前記少なくとも１つの骨が、第１の骨および第２の骨、を含み、
前記解剖学的特徴部が、前記第１の骨と前記第２の骨との間の関節ラインである、
骨プレート。
【請求項９】
請求項１に記載の骨プレートにおいて、
前記解剖学的特徴部が、前記少なくとも１つの骨における骨折を含む、骨プレート。
【請求項１０】
体内に位置する少なくとも１つの骨に取り付けられるように構成されたインプラントにおいて、
解剖学的特徴部が、前記少なくとも１つの骨に関連して前記体内に存在し、
前記インプラントは、
周縁部、第１の端部、反対側の第２の端部、および複数の穴、を画定する、細長いインプラント本体、
を含み、
前記インプラント本体の前記第１の端部が、前記解剖学的特徴部の第１の側で前記少なくとも１つの骨に取り付けられるように構成されており、
前記インプラント本体の前記第２の端部が、前記解剖学的特徴部の第２の側で前記少なくとも１つの骨に取り付けられるように構成されており、
整合表示が、前記第１の端部と前記第２の端部との間で前記インプラント本体の前記周縁部に沿って設けられており、
前記整合表示は、前記解剖学的特徴部に対する前記骨への前記骨プレートの適正な設置を表示するように構成されており、
前記整合表示は、前記複数の穴のうちの１つの穴の周りに形成された前記周縁部の突出部に関連付けられておらず、
前記整合表示は、前記複数の穴のうちの２つの穴の周りに形成された前記周縁部の２つの隣接する突出部によって結果的に形成された前記周縁部の凹部に関連付けられていない、
インプラント。
【請求項１１】
請求項１０に記載のインプラントにおいて、
前記整合表示が、前記インプラント本体に設けられた少なくとも１つの突出部を含む、インプラント。
【請求項１２】
請求項１０に記載のインプラントにおいて、
前記整合表示が、前記インプラント本体に設けられた少なくとも１つの凹部を含む、インプラント。
【請求項１３】
請求項１０に記載のインプラントにおいて、
前記整合表示が、放射線不透過性材料で構成されている、インプラント。
【請求項１４】
請求項１０に記載のインプラントにおいて、
前記インプラント本体に形成された複数のねじ穴であって
前記インプラント本体の前記第１の端部に設けられた第１の複数のねじ穴、および、
前記インプラント本体の前記第２の端部に設けられた第２の複数のねじ穴、
を含む、複数のねじ穴、
をさらに含む、インプラント。
【発明の詳細な説明】
【開示の内容】
【０００１】
〔技術分野〕
本発明は、骨に固定された生体力学的インプラント（bio-mechanical implants）、および、体内へのこのようなインプラントの適正な配置、に関する。
【０００２】
〔背景技術〕
生体力学的インプラントは、外科手術で広く用いられている。整形外科の分野では、インプラントは、治癒を補助するため、さらなる損傷を防止するため、または、骨の部分を完全に置換するためにでさえ、骨に固定されることが多い。このような整形外科インプラントの例は、骨に固定される、プレート、ピン、ロッド、ワイヤー、および、ねじ、などを含む。整形外科インプラントの別の例には、人工膝関節のような人工器官装置があり、人工器官装置は、骨構造のすべてまたは一部、および／または、骨構造の周囲の組織、を置換する。
【０００３】
外科医が整形外科インプラントを患者の体内に配置する場合、典型的には、そのインプラントに最適であるか、そうでなければ、好ましい、厳密な配置位置が存在する。典型的には、そのインプラントに最適であるか、または、好ましい、配向（orientation）および整合（alignment）も存在する。骨に対するインプラントの適正な配置および配向は、重要であり、その理由は、患者の体内に適正に設置されたインプラントは、不適正に設置されたインプラントに比べて、より良好に機能し、問題を起こすことがより少ないからである。
【０００４】
現在の実務では、インプラントの最適な配置および配向情報は、典型的には、そのインプラントに提供された手術方法資料を介して、外科医に伝達される。より詳しくは、インプラント装置が外科医に販売されるか、または、その他の方法で供給される場合、製品マニュアルまたは小冊子が共通してそのインプラントに含まれていて、この製品マニュアルまたは小冊子は、その製品をある程度詳しく説明し、骨に対するインプラントの最適な配置および配向を推奨している。外科医は、手術前にこの情報を精査することが期待され、このようにして、外科医に、インプラントとこのインプラントの最適な配置および配向とに対する十分な理解が提供される。
【０００５】
残念ながら、多くの外科医は、インプラント手術を行う前に、製品資料を適正に精査しない。製品資料を精査しないことは、さまざまな理由から起こりえる。外科医が製品資料を精査しない場合、その外科医は、インプラントの好ましい配置を十分に理解していないことがあり、インプラントが患者の体内の最適な位置に配置されないことがある。したがって、たとえ外科医が製品資料を読まなかったとしても、製品の適正な配置を外科医に示唆するか、または、その他の方法で伝達するインプラント製品を提供することは有益である。
【０００６】
〔発明の概要〕
患者の体内での適正な配置および配向を伝達する表示を含むインプラントが、本明細書に開示されている。本明細書に開示されているインプラントは、体内に位置する少なくとも１つの骨に取り付けられるように構成された骨プレートである。骨プレートは、概ね細長く、第１の端部部分、および、第２の端部部分、を含み、第１の端部部分および第２の端部部分には複数の固定穴（fixation holes）が設けられている。第１の端部部分は、患者の体内で見出される解剖学的特徴部の第１の側で少なくとも１つの骨に取り付けられるように構成されている。第２の端部部分は、解剖学的特徴部の第２の側でこの少なくとも１つの骨に取り付けられるように構成されている。患者の体内で見出される解剖学的特徴部の例は、関節ライン（joint lines）、骨折、ならびに、腱または靭帯の付着部位、などを含む。
【０００７】
骨プレートは、曲線状の周縁部（contoured perimeter）を画定する。整合表示（alignment indicia）が、第１の端部部分と第２の端部部分との間の周縁部に形成されている。整合表示は、解剖学的特徴部に対する少なくとも１つの骨への骨プレートの適正な設置（positioning）を表示するように構成されている。整合表示は、例えば、骨プレートの周縁部に形成された突出部または凹部を含んでいてよい。しかし、骨プレートの周縁部に形成された整合表示は、複数の固定穴のいずれにも関連付けられていない。したがって、整合表示は、複数の固定穴のうちの１つの固定穴の周りに形成された周縁部の突出部に関連付けられていない。さらに、整合表示は、複数の固定穴のうちの２つの固定穴の周りに形成された周縁部の２つの突出部によって結果的に形成された周縁部の凹部と関連付けられていない。
【０００８】
エッチングなどの、さらなる整合表示が、骨プレートに設けられていてよい。エッチングは、外科医を、骨に対する骨プレートの適正な配向および整合について補助する文字（text）またはその他の記号を含んでいてよい。
【０００９】
骨プレートは、放射線不透過性でもある生体適合性の材料で概ね構成されている。このような材料を用いることによって、外科医は、Ｘ線透視法またはその他のＸ線映像法を用いて、患者の体内での骨プレートの適正な配置を確認することができる。代替の実施形態では、別の映像法に適合する別の材料が用いられてもよい。
【００１０】
本明細書に記載された整合情報を備えた骨プレートを用いることは、患者の体内での骨プレートの適正な配置を確実にするのを補助する利点を有する。より詳しくは、骨プレートに設けられた整合表示は、外科医に植え込み手術の間に容易に利用できる有益な配置情報を提供する。外科手術の間、外科医は、骨プレートに設けられた整合表示を、少なくとも１つの骨に関連した解剖学的特徴部と整合させて、骨接触構造を少なくとも１つの骨に配置する。手術の間および／または手術の後に、外科医は、Ｘ線透視法などの映像法を用いて整合表示と少なくとも１つの解剖学的構造との整合を確認することによって、骨プレートの適正な配置を確認することができる。
【００１１】
前述の特徴および利点、ならびに、その他の特徴および利点は、以下の詳細な説明および添付の図面を参照することによって、当業者にはより容易に明らかとなるはずである。
【００１２】
〔発明の説明〕
図１を参照すると、インプラント装置が示されていて、そのインプラント装置は、このインプラント装置に形成された配置表示を含んでいる。開示された実施形態では、インプラント装置は、骨固定装置（bone fixation device）であり、より詳しくは、骨プレート１０である。骨プレート１０は、複数の骨１００に設置されて図示されている。この場合では、骨１００は、ヒトの足指の中足骨−指節骨関節の骨を含んでいる。
【００１３】
骨プレート１０は、概ね細長い形状であり、周縁部１６によって縁取られた主本体部１１を含んでいる。周縁部１６は、骨プレート１０の全体の形状を画定している。主本体部１１は、複数の固定穴２０であって、骨内に配置されて骨プレート１０を骨に固定するように設計された、ねじ、ボルト、ポスト、または、その他の固定部材、を受容するように構成されている、複数の固定穴２０を含む。
【００１４】
骨プレート１０は、全般的に、２つの互いに反対側にある表面であって、骨と接触する表面（図示されていない。）、および、外側を向いた表面２０を含む、２つの互いに反対側にある表面を含む。骨と接触する表面は、骨に接触して配置されるように設計されている。したがって、骨と接触する表面は、長さ方向の中心線（longitudinal midline）に対してわずかに凹状であってよく、これにより、骨と接触する表面が骨の形状に沿うようになり、同時に、骨１００と実際に接触するためのより大きな表面積が提供される。外側を向いた表面２０は、骨と接触する表面の反対側にあり、骨１００から離れる向きを向いている。ねじまたはその他の固定装置が、穴１８を通して骨プレート１０内に、そして、骨１００内に挿入される。ねじが骨に固定されると、ねじは、骨プレートを骨に対して適正な位置で固定する。
【００１５】
図１を続けて参照すると、骨プレートは、概ね細長い形状であり、主本体部１１は、第１の端部１２、および、反対側にある第２の端部１４、を含んでいる。いくつかの穴１８が、主本体部の第１の端部１２ならびに第２の端部１４に配置されている。主本体部１１の第１の端部１２の穴１８は、ねじまたはその他の固定装置と共に用いられて、第１の端部１２を骨１００に固定する。同様に、主本体部１１の第２の端部１４の穴１８は、ねじまたはその他の固定装置と共に用いられて、第２の端部１４を骨１００に固定する。
【００１６】
骨プレート１０の周縁部１６は、いくつかの輪郭、および、丸い突出部分（rounded bump out portions）、を含んでいる。周縁部１６の輪郭は、骨プレート１０の表面２０の全体の形状に従っている。丸い突出部分１９は、複数の穴１８のそれぞれの周縁部側に沿って設けられている。これらの丸い突出部１９は、穴１８が配置されている箇所の骨プレートを強化するために追加的なプレート面積を概ね提供している。より詳しくは、突出部１９は、穴の周りに追加的なプレート材料を提供していて、この追加的なプレート材料は、穴の付近で骨プレートが曲がるのを防止するように作用する。
【００１７】
整合表示３０は、骨プレート１０の第１の端部１２と第２の端部１４との間に設けられている。図１の実施形態では、整合表示３０は、骨プレートの主本体部１１から延出し、かつ、骨プレートの第１の端部１２と第２の端部１４との間に配置された、２つの突出部を含んでいる。整合表示３０は、骨プレート１０の周縁部１６に沿った輪郭を形成している。図１の実施形態では、周縁部１６の整合表示は、２つの突出部３１，３２を形成している。これらの突出部３１，３２の間の主本体部には穴は配置されていない。言い換えれば、両側の整合表示３０の間に延在する骨プレート１０の中心部分は、穴１８を含んでいない。穴１８を含まないということは、突出部１９に関しては成り立たず、その理由は、両側の突出部１９の間の骨プレートの部分は、穴１８と交差するはずであるからである。
【００１８】
骨プレート１０の周縁部１６に設けられた整合表示３０は、プレート内のいずれの穴１８にも関連付けられていない。より詳しくは、整合表示３０は、複数の穴１８のうちの１つの穴の周りにそれぞれ形成された突出部１９から分離している。また、整合表示３０は、２つの穴１８の周りに形成された２つの隣り合う突出部１９から結果的に形成された周縁部の凹部１７のようには、穴に関連した周縁部の輪郭の結果として形成されていない。
【００１９】
整合表示３０は、患者の体の解剖学的特徴部との整合のために構成されている。例えば、図１に開示された骨プレート１０では、整合表示３０は、関節ライン５０と整合するために構成されている。関節ライン５０は、図１にわずかに湾曲したラインとして示されていて、中足骨−指節骨関節に沿って延びている。図１に示されているように、インプラントが骨に適正な位置で配置されると、突出部３１，３２は、関節ライン５０に沿って設置される。代替の実施形態では、整合表示は、以下にさらに詳しく記載される解剖学的特徴部の例を含むその他の解剖学的特徴部と整合するために構成されている。
【００２０】
その解剖学的特徴部に対して整合表示３０が整合するために構成されているその他の解剖学的特徴部の１つの例は、骨折である。骨折１０２を伴う骨１００に設置された骨プレート１０の例が、図２に開示されている。この実施形態では、骨プレートの周縁部１６に形成された整合表示３０は、突出部３１および３２を含んでいる。図２の突出部３１および３２は、周縁部が外向きに突き出るようにしている。しかし、突出部の形状は、小さな凹部３３および３４も含んでいて、その凹部３３および３４が周縁部を内向きに湾曲させている。突出部３１および３２の凹部３３および３４は、骨プレート１０が骨１００の骨折１０２と適正に整合していることを表示するために設けられている。より詳しくは、骨プレート１０は、凹部３３および３４の間の骨プレート３５の部分が骨折の一部を覆い、骨折ライン１０２が凹部３３および３４から外向きに延びて現れるように構成されている。
【００２１】
当業者は、骨プレート１０の周縁部１６に形成された整合表示３０が本明細書に示された構成以外のさまざまな形状および寸法を含んでよいことを、認識するはずである。したがって、周縁部に形成された整合表示３０が含み得るものは、図１および図２に示されたもののような、突出部３１，３２、または、凹部３３，３４、に限定されない。
【００２２】
骨プレート１０の周縁部に沿って形成された整合表示３０に加えて、整合表示はまた、別の位置に設けられていてもよい。例えば、追加的な整合表示は、骨プレートにエッチングされた記号または文字を含んでいてよい。例示的なエッチングが図２に示されていて、図２では、文字６０が骨プレート１０にエッチングされて示されている。エッチングされた文字６０は、骨プレートが解剖学的特徴部に対して設置されるべき場所を外科医に示す指示を提供している。図２では、文字６０は、外科医に、骨プレート１０の中心部分３５が骨折の大部分を覆うように、骨プレートを骨に配置するように指示している。この配向によって、骨１００の骨折ライン１０２は、骨プレート１０の周縁部１６に形成された凹部３３および３４と整合する。したがって、整合表示３０は、骨折の一部を覆い、骨折ライン１０２は、凹部３３および３４から外向きに延びている。凹部３３および３４は、周縁部の整合表示として役立ち、エッチングは、外科医が骨プレート１０を骨１００に最適に配置するのを補助するための追加的な整合表示として役立つ。エッチングが追加的な整合表示として設けられている場合、このエッチングは、典型的には、インプラントの構造上の完全性を損なうのを避けるために、比較的浅い。
【００２３】
骨プレート１０は、ＣｏＣｒ、チタン、または、その他の材料のような、剛性の生体適合性の材料で概ね構成されている。ある実施形態では、生体適合性の材料は、骨プレートがＸ線撮影法またはＸ線透視法によって検出可能であるように、放射線不透過性である。このような材料を用いることによって、外科医は、手術中および手術後に、骨プレート１０が指定された解剖学的特徴部に対して適正に配置されていることを確認することができる。より詳しくは、骨プレートの周縁部分に沿った整合表示は、Ｘ線写真（radiograph）、Ｘ線透視装置、または、その他のＸ線装置を用いて、患者の体内で鮮明に見ることができる。Ｘ線装置上にも現れた、このような整合表示が解剖学的特徴部と適正に整合していることの視覚的な確認は、骨プレートが患者の体内に適正に植え込まれたことの保証を提供する。別の実施形態では、核磁気共鳴映像法、または、超音波法のような、外科医が利用可能な異なる映像法を補足する別の生体適合性の材料が、用いられてよい。このような材料および補足的な映像法は、当業者には容易に認識することができるはずである。
【００２４】
骨プレートに用いられる材料の剛性および弾性は、用途に応じて変更されてよい。例えば、骨プレートが骨折に関連して用いられる場合、材料は、骨プレートが骨折に沿った骨の移動を防止するように、より剛性であってよい。別の例として、インプラントが関節に沿って設けられる場合、インプラントは、関節のある程度の限定された動きを許容するように、より可撓性のある材料で構成されていてよい。
【００２５】
手術中、骨プレートまたはその他のインプラント装置は、外科医に、骨プレートの植え込みのための指示と共に、提供される。好ましくは、外科医は、その指示を読んで、このインプラントの患者の体内への適正な配置を理解する。しかし、外科医が指示を読むか否かにかかわらず、インプラントに設けられた整合表示が、外科医がインプラントを適正に整合させるのを、補助することになる。より詳しくは、患者の体内でインプラントを適正に配向し、整合させるために、外科医は、単に、整合表示を患者の解剖学的特徴部に整合させる。このような整合は、例えば、インプラントの周縁部に沿って設けられた１つ以上の突出部または凹部を、関節ラインまたは骨折のような患者の解剖学的特徴部に向ける（pointing）か、または、整合させることを含む。外科医がインプラントを適正に整合させるのをさらに補助するように、エッチングが、インプラントに設けられていてもよい。エッチングの代わりに、整合表示に関連したインプラントの指示を含むステッカーまたは紙片が、インプラントの表面に付与されていてよく、または、インプラントと共に梱包されていてよい。
【００２６】
インプラントを１つ以上の骨に対して適正に配置するために整合表示を用いた後に、外科医は、インプラントを骨に固定する。例えば、図１または図２の骨プレート１０が患者に植え込まれる場合、外科医は、整合表示を骨プレート１０の開口１８と整合させた後に、骨プレートを骨に一時的に固定するために、ジグまたはその他の装置を用いる。次に、外科医は、骨プレート１０の穴１８と整合された骨に穴を穴あけする。次に、外科医は、穴１８を通って骨内に延びる骨ねじを挿入する。したがって、骨ねじは、整合のために用いられる解剖学的構造に対して、骨プレートの両側に通される。
【００２７】
インプラントを実際に骨に固定する前に、映像法が、患者の解剖学的特徴部に対するインプラントの適正な配置を確認するために、用いられてよい。例えば、Ｘ線透視法が、骨プレートが骨折、関節ライン、腱、または、靭帯付着部位、もしくは、その他の解剖学的特徴部に対して、骨に適正に配置されたことを確認するために、用いられてよい。整合表示がインプラントの周縁部に沿って設けられているので、整合表示は、Ｘ線透視法またはその他の映像法の間、鮮明に見ることができる。インプラントが患者の体内で適正に設置されている場合、外科医は、インプラントを患者へ固定することを進める。映像法は、インプラントが患者の特定の解剖学的特徴部に対して患者の体内で適正または最適な位置に留まっていることを確認するために、手術後に用いられてもよい。
【００２８】
本発明が、いくつかの好ましい実施形態に関して記載されたが、当業者によって、その他の実施または適合も可能なことが、適正に評価されるはずである。さらに、本明細書に記載された個々の改善点に対して、前述の他の態様を組み込まずに得られるであろう利点が存在する。したがって、添付の特許請求の範囲の精神および範囲は、本明細書に収容された好ましい実施形態の記載に限定されない。
【００２９】
〔実施の態様〕
この発明の具体的な実施態様は以下の通りである。
（１）体内に位置する少なくとも１つの骨に取り付けられるように構成された骨プレートにおいて、
解剖学的特徴部が、前記少なくとも１つの骨に関連して前記体内に存在し、
前記骨プレートは、
（ａ）前記解剖学的特徴部の第１の側で前記少なくとも１つの骨に取り付けられるように構成された、第１の端部部分と、
（ｂ）前記解剖学的特徴部の第２の側で前記少なくとも１つの骨に取り付けられるように構成された、第２の端部部分であって、前記第２の側は、前記第１の側の反対側にある、第２の端部部分と、
（ｃ）前記骨プレートに形成された複数の固定穴と、
（ｄ）周縁部であって、
前記周縁部は、前記第１の端部部分と前記第２の端部部分との間に形成された整合表示（alignment indicia）を含み、
前記整合表示は、前記解剖学的特徴部に対する前記少なくとも１つの骨への前記骨プレートの適正な設置を表示するように構成されており、
前記周縁部に形成された前記整合表示は、前記複数の固定穴に関連付けられていない、
周縁部と、
を含む、骨プレート。
（２）実施態様（１）に記載の骨プレートにおいて、
前記整合表示が、前記骨プレートから延出する少なくとも１つの突出部を含む、骨プレート。
（３）実施態様（２）に記載の骨プレートにおいて、
前記少なくとも１つの突出部が、前記骨プレートの少なくとも１つの側面から延出している、骨プレート。
（４）実施態様（１）に記載の骨プレートにおいて、
前記整合表示が、前記骨プレートに形成された少なくとも１つの凹部を含む、骨プレート。
（５）実施態様（１）に記載の骨プレートにおいて、
前記整合表示に関連した、前記骨プレートの表面に形成されたエッチング、
をさらに含む、骨プレート。
（６）実施態様（５）に記載の骨プレートにおいて、
前記エッチングが、文字を含む、骨プレート。
（７）実施態様（５）に記載の骨プレートにおいて、
前記エッチングが、少なくとも１つの記号を含む、骨プレート。
（８）実施態様（１）に記載の骨プレートにおいて、
前記少なくとも１つの骨が、第１の骨および第２の骨、を含み、
前記解剖学的特徴部が、前記第１の骨と前記第２の骨との間の関節ラインである、
骨プレート。
（９）実施態様（１）に記載の骨プレートにおいて、
前記解剖学的特徴部が、前記少なくとも１つの骨における骨折を含む、骨プレート。
（１０）体内の少なくとも１つの骨にインプラントを取り付ける方法において、
前記方法が、
（ａ）周縁部を画定する骨接触構造を含むインプラントを提供する過程であって、整合表示が前記骨接触構造の前記周縁部に沿って形成されている、インプラントを提供する過程と、
（ｂ）前記骨接触構造を前記少なくとも１つの骨に配置する過程と、
（ｃ）前記整合表示を前記少なくとも１つの骨に関連した解剖学的特徴部と整合させる過程と、
（ｄ）映像法を用いて、前記少なくとも１つの解剖学的特徴部と前記整合表示との整合を確認する過程と、
を含む、方法。
【００３０】
（１１）実施態様（１０）に記載の方法において、
前記映像法が、Ｘ線透視法を含む、方法。
（１２）実施態様（１１）に記載の方法において、
前記映像法が、Ｘ線写真（x-ray）を含む、方法。
（１３）実施態様（１０）に記載の方法において、
前記解剖学的特徴部が、関節ラインを含む、方法。
（１４）実施態様（１０）に記載の方法において、
前記解剖学的特徴部が、骨折を含む、方法。
（１５）実施態様（１０）に記載の方法において、
前記インプラントが、骨プレートを含む、方法。
（１６）体内に位置する少なくとも１つの骨に取り付けられるように構成されたインプラントにおいて、
解剖学的特徴部が、前記少なくとも１つの骨に関連して前記体内に存在し、
前記インプラントは、
周縁部、第１の端部、反対側の第２の端部、および複数の穴、を画定する、細長いインプラント本体、
を含み、
前記インプラント本体の前記第１の端部が、前記解剖学的特徴部の第１の側で前記少なくとも１つの骨に取り付けられるように構成されており、
前記インプラント本体の前記第２の端部が、前記解剖学的特徴部の第２の側で前記少なくとも１つの骨に取り付けられるように構成されており、
整合表示が、前記第１の端部と前記第２の端部との間で前記インプラント本体の前記周縁部に沿って設けられており、
前記整合表示は、前記解剖学的特徴部に対する前記骨への前記骨プレートの適正な設置を表示するように構成されており、
前記整合表示は、前記複数の穴のうちの１つの穴の周りに形成された前記周縁部の突出部に関連付けられておらず、
前記整合表示は、前記複数の穴のうちの２つの穴の周りに形成された前記周縁部の２つの隣接する突出部によって結果的に形成された前記周縁部の凹部に関連付けられていない、
インプラント。
（１７）実施態様（１６）に記載のインプラントにおいて、
前記整合表示が、前記インプラント本体に設けられた少なくとも１つの突出部を含む、インプラント。
（１８）実施態様（１６）に記載のインプラントにおいて、
前記整合表示が、前記インプラント本体に設けられた少なくとも１つの凹部を含む、インプラント。
（１９）実施態様（１６）に記載のインプラントにおいて、
前記整合表示が、放射線不透過性材料で構成されている、インプラント。
（２０）実施態様（１６）に記載のインプラントにおいて、
前記インプラント本体に形成された複数のねじ穴であって
前記インプラント本体の前記第１の端部に設けられた第１の複数のねじ穴、および、
前記インプラント本体の前記第２の端部に設けられた第２の複数のねじ穴、
を含む、複数のねじ穴、
をさらに含む、インプラント。
【図面の簡単な説明】
【００３１】
【図１】関節ラインに対するインプラントの適正な配置および配向を示す表示を含むある例示的なインプラントを示す図である。
【図２】骨折に対するインプラントの適正な配置および配向を示す表示を含むある例示的なインプラントを示す図である。
【図１】
2008006285.tif 000003
【図２】
2008006285.tif 000004
【外国語明細書】
2008006285000001.pdf